(57)【要約】【課題】  ユーザに確実にコマーシャルを提供することができる画像表示装置、受信装置及びコマーシャルの提供方法を提供すること。【解決手段】  ディジタル系の放送システムにおいて、例えば受信装置側でチャンネルの切り替えがあったときに、ディジタル系の処理をする必要があるために、次のチャンネルが視聴可能な状態になるまでの時間、つまりブラックアウトする時間が従来と比べてかなり長いことに着目し、この期間にコマーシャルを挿入することでユーザに確実にコマーシャルを提供できるようにしている。また、受信装置の電源立ち上がり時を含めた一のチャンネルの選択時、或いはシステム停止時等にも同様にコマーシャルを提供してもよく、更には通常のアナログ放送のシステムにも適用可能である。【選択図】  図４
2005080102.tif 000002
【特許請求の範囲】
【請求項１】
放送波を受信する受信手段と、
前記受信された放送波から一つのチャンネルを選択する選択手段と、
選択されたチャンネルの画像を表示する画像表示手段と、
コマーシャル画像を表示するためのコマーシャルデータを記憶するメモリ手段と、
前記選択手段によってチャンネルが選択されたとき、前記画像表示手段に当該選択されたチャンネルの画像を前記画像表示手段が表示するのに先立ち、前記メモリ手段に記憶された前記コマーシャルデータに基づいたコマーシャル画像を前記画像表示手段に表示させる制御手段と
を具備したことを特徴とする画像表示装置。
【請求項２】
放送波を受信する受信手段と、
前記受信された放送波から一のチャンネルを選択する選択手段と、
前記チャンネルが選択されたとき、当該チャンネルの番組データを出力するのに先立ちコマーシャルに関するデータを出力する出力手段と
を具備することを特徴とする受信装置。
【請求項３】
請求項２に記載の受信装置であって、
前記出力手段は、前記選択手段により前記番組データが出力されているチャンネルから別のチャンネルへの選択の切り替えが行なわれたときに、当該別のチャンネルの番組データを出力するのに先立ちコマーシャルに関するデータを出力することを特徴とする受信装置。
【請求項４】
請求項２に記載の受信装置であって、
前記選択手段は、当該受信装置の電源が投入されたときに前記受信手段により受信された放送波から一のチャンネルを選択するものであり、
前記出力手段は、前記選択されたチャンネルの番組データを出力するのに先立ちコマーシャルに関するデータを出力するものである
ことを特徴とする受信装置。
【請求項５】
請求項２に記載の受信装置であって、
前記出力手段は、前記選択手段によりチャネルが選択されたときから、前記選択手段により選択されたチャンネルに対応する番組データを少なくとも表示部により表示可能とするまでの間の第１の期間、前記コマーシャルに関するデータを出力することを特徴とする受信装置。
【請求項６】
請求項５に記載の受信装置であって、
前記出力手段は、前記前記コマーシャルに関するデータを出力する第２の期間が前記第１の期間よりも長いとき、前記コマーシャルに関するデータを優先させて出力することを特徴とする受信装置。
【請求項７】
請求項５に記載の受信装置であって、
前記出力手段は、前記前記コマーシャルに関するデータを出力する第２の期間が前記第１の期間よりも長いとき、前記コマーシャルに関するデータを当該データに係る画像がフェードアウトして消えて表示されるように出力することを特徴とする受信装置。
【請求項８】
請求項２に記載の受信装置であって、
前記受信された放送波の制御チャンネルに含まれる前記コマーシャルに関するデータを抽出する抽出手段と、
前記抽出されたコマーシャルに関するデータを記憶する記憶手段と
を具備することを特徴とする受信装置。
【請求項９】
請求項２に記載の受信装置であって、
前記番組データに付随する前記コマーシャルに関するデータを抽出する抽出手段と、
前記抽出されたコマーシャルに関するデータを記憶する記憶手段と
を具備することを特徴とする受信装置。
【請求項１０】
請求項２に記載の受信装置であって、
前記コマーシャルに関するデータを予め記憶する記憶手段
を具備することを特徴とする受信装置。
【請求項１１】
請求項２に記載の受信装置であって、
地球上を周回するＧＰＳ衛星から送信されるＧＰＳ信号を受信し、受信したＧＰＳ信号に基づき当該受信端末の位置を検出する位置検出手段と、
前記位置検出手段により検出された位置に応じて、前記出力手段から出力されるコマーシャルに関するデータを選択する選択手段と
をさらに具備することを特徴とする受信装置。
【請求項１２】
請求項２に記載の受信装置であって、
前記出力手段は、前記コマーシャルに関するデータの出力の回数に応じてバージョンの異なる当該データを出力することを特徴とする受信装置。
【請求項１３】
請求項３に記載の受信装置であって、
前記出力手段は、前記選択手段により前記番組データが出力されているチャンネルから別のチャンネルへの選択の切り替えが行なわれたときに、当該別のチャンネルの番組データを出力するのに先立ち前記切り替え前のチャンネルの番組の中で流されるべきであったコマーシャルに関するデータを出力することを特徴とする受信装置。
【請求項１４】
請求項８又は請求項９に記載の受信装置であって、
前記記憶手段に記憶されるコマーシャルに関するデータには所定の重み付けがされており、
前記記憶手段に記憶されたデータが満杯になったとき、前記重み付けに基づく順位に従ったデータを消去する消去手段
を更に具備することを特徴とする受信装置。
【請求項１５】
請求項８又は請求項９に記載の受信装置であって、
前記記憶手段に記憶されるコマーシャルに関するデータには消去される日時が指定されており、
前記記憶手段に記憶されたデータを前記日時に従って消去する消去手段
を更に具備することを特徴とする受信装置。
【請求項１６】
請求項１５に記載の受信装置であって、
前記記憶手段に記憶されるコマーシャルに関するデータには出力されるべき回数が指定されており、
前記出力手段は、前記消去手段により消去される日時に迫り、かつ、前記指定された回数が少ないデータを優先させて出力する
ことを特徴とする受信装置。
【請求項１７】
放送波を受信する受信手段と、
前記受信した放送波の番組データを出力する番組データ出力手段と、
前記番組データ出力手段から番組データが出力されなくなったとき、コマーシャルに関するデータを出力するコマーシャルデータ出力手段と
を具備することを特徴とする受信装置。
【請求項１８】
請求項１７に記載の受信装置であって、
前記コマーシャルデータ出力手段は、当該装置の電源切断の入力がされたときに、前記番組データ出力手段からの番組データの出力停止後に、電源の切断に先立ちコマーシャルに関するデータを出力することを特徴とする受信装置。
【請求項１９】
請求項１７に記載の受信装置であって、
前記コマーシャルデータ出力手段は、前記放送波が停波されたことで前記番組データ出力手段から番組データが出力されなくなったとき、コマーシャルに関するデータを出力することを特徴とする受信装置。
【請求項２０】
放送波を送信する際にコマーシャルに関するデータを含めて送信し、又は前記放送波を視聴する受信装置にコマーシャルに関するデータを予め記憶させておき、
前記受信装置によりチャンネルの選択が行なわれたとき、選択後のチャンネルの番組データを出力するのに先立ち前記コマーシャルに関するデータを出力する
ことを特徴とするコマーシャルの提供方法。
【請求項２１】
放送波を送信する際にコマーシャルに関するデータを含めて送信し、又は前記放送波を視聴する受信装置にコマーシャルに関するデータを予め記憶させておき、
前記受信装置により番組データを出力できないとき、コマーシャルに関するデータを出力する
ことを特徴とするコマーシャルの提供方法。
【発明の詳細な説明】
【技術分野】
【０００１】
本発明は、例えば衛星ディジタル放送を受信するための受信装置及びこのような受信装置に対してコマーシャル（以下、「ＣＭ」という。）を提供するための方法に関する。
【背景技術】
【０００２】
従来、例えばテレビ、ラジオ等の放送を利用して、番組一区切りの間にＣＭを放送することで、企業等の広告宣伝が行われている。（例えば、非特許文献１を参照。）
【非特許文献１】http://www002.upp.so-net.ne.jp/TVCM_archeology/essay/seikosha1.html
【発明の開示】
【発明が解決しようとする課題】
【０００３】
しかしながら、番組の途中でチャンネルが切り替えられたり、番組からコマーシャルに入る直前にチャンネルが切り替えられたりすると、番組のスポンサーが期待するほどユーザにＣＭを提供できない、という問題がある。
【０００４】
以上のような事情に鑑み、本発明の目的は、ユーザに確実にコマーシャルを提供することができる画像表示装置、受信装置及びコマーシャルの提供方法を提供することにある。
【課題を解決するための手段】
【０００５】
本発明者等は、特にディジタル系の放送システムにおいて、例えば受信装置側でチャンネルの切り替えがあったときに、ディジタル系の処理をする必要があるために、次のチャンネルが視聴可能な状態になるまでの時間、つまりブラックアウトする時間が従来と比べてかなり長いことに着目し、この期間にコマーシャルを挿入することでユーザに確実にコマーシャルを提供できることを見出した。そして、このことは、受信装置側でのチャンネルの切り替え時ばかりでなく、受信装置の電源立ち上がり時を含めた一のチャンネルの選択時、或いはシステム停止時等にも同様にコマーシャルを提供してもよく、更には通常のアナログ放送のシステムにも適用可能であることを見出した。
【０００６】
従って、本発明の主たる観点に係る画像表示装置は、放送波を受信する受信手段と、前記受信された放送波から一つのチャンネルを選択する選択手段と、選択されたチャンネルの画像を表示する画像表示手段と、コマーシャル画像を表示するためのコマーシャルデータを記憶するメモリ手段と、前記選択手段によってチャンネルが選択されたとき、前記画像表示手段に当該選択されたチャンネルの画像を前記画像表示手段が表示するのに先立ち、前記メモリ手段に記憶された前記コマーシャルデータに基づいたコマーシャル画像を前記画像表示手段に表示させる制御手段とを具備したことを特徴とする。
【０００７】
本発明の別の観点に係る受信端末は、放送波を受信する受信手段と、前記受信された放送波から一のチャンネルを選択する選択手段と、前記チャンネルが選択されたとき、当該チャンネルの番組データを出力するのに先立ちコマーシャルに関するデータを出力する出力手段とを具備することを特徴とする。
【０００８】
本発明の更に別の観点に係るコマーシャルの提供方法は、放送波を送信する際にコマーシャルに関するデータを含めて送信し、又は前記放送波を視聴する受信装置にコマーシャルに関するデータを予め記憶させておき、前記受信装置によりチャンネルの選択が行なわれたとき、選択後のチャンネルの番組データを出力するのに先立ち前記コマーシャルに関するデータを出力することを特徴とする。
【０００９】
ここで、番組データ或いはコマーシャルに関するデータは、受信装置自体が有する表示部やスピーカ等に出力されるデータばかりでなく、例えば当該受信装置の外部端子から外付けの表示部等に出力されるデータも含んでいる。
【００１０】
本発明によれば、ユーザによりチャンネルが選択されてから、当該チャンネルのデータが出力されるのに先立って、コマーシャルに関するデータを出力することができるので、ユーザに確実にコマーシャルに関するデータを提供することができる。上述したように、例えば、アナログ放送では、チャンネルが選択されると当該チャンネルのデータが即時に出力されるが、ディジタル放送においては、チャンネルが選択されても当該チャンネルのデータはすぐには出力されず、出力されるまでには数秒間を要する。ディジタル放送では、放送波を受信してから出力するまでの信号処理が複雑なため、その分処理時間を要するのである。本発明では、この信号処理の時間を利用して、コマーシャルに関するデータを出力することができるので、確実にユーザに当該データを提供することができる。
【００１１】
本発明の一の形態によれば、前記出力手段は、前記選択手段により前記番組データが出力されているチャンネルから別のチャンネルへの選択の切り替えが行なわれたときに、当該別のチャンネルの番組データを出力するのに先立ちコマーシャルに関するデータを出力することを特徴とする。
【００１２】
本発明によれば、チャンネルが切り替えられたときに、信号処理の時間を利用して、番組データが出力されるのに先立ってコマーシャルに関するデータが出力されるので、例えばユーザ等が番組の途中でコマーシャルを見ずに別のチャンネルに切り替えたときであっても、ユーザに確実にコマーシャルに関するデータを提供することができる。
【００１３】
本発明の一の形態によれば、前記選択手段は、当該受信装置の電源が投入されたときに前記受信手段により受信された放送波から一のチャンネルを選択するものであり、前記出力手段は、前記選択されたチャンネルの番組データを出力するのに先立ちコマーシャルに関するデータを出力するものであることを特徴とする。
【００１４】
例えば、ディジタル放送では、受信装置の電源を投入したときに、はじめて放送波を受信する。従って、電源を投入してから表示部等に番組が出力されるまでの間も、やはり信号処理には数秒を要する。本発明によれば、当該受信装置の電源が投入されたときに要する信号処理の時間を利用して、ユーザにコマーシャルに関するデータを提供することができる。勿論、本発明を積極的にアナログ系の放送システムにも利用することもできる。
【００１５】
本発明の一の形態によれば、前記出力手段は、前記選択手段によりチャンネルが選択されたときから、前記選択手段により選択されたチャンネルに対応する番組データを少なくとも表示部により表示可能とするまでの間の第１の期間、前記コマーシャルに関するデータを出力することを特徴とする。
【００１６】
例えばディジタル放送において、第１の期間には、出力がない状態、すなわち表示部に何も出力されないブラックアウト状態となる。本発明によれば、この第１の期間を利用し、本来ならばブラックアウト状態となっている表示部にコマーシャルに関するデータを表示することができる。
【００１７】
本発明の一の形態によれば、前記出力手段は、前記前記コマーシャルに関するデータを出力する第２の期間が前記第１の期間よりも長いとき、前記コマーシャルに関するデータを優先させて出力することを特徴とする。
【００１８】
このような構成によれば、コマーシャルに関するデータの出力が完了するまでは、番組データに優先して出力されるので、コマーシャルに関するデータの出力が途中で停止することもない。
【００１９】
本発明の一の形態によれば、前記出力手段は、前記前記コマーシャルに関するデータを出力する第２の期間が前記第１の期間よりも長いとき、前記コマーシャルに関するデータを当該データに係る画像がフェードアウトして消えるように出力することを特徴とする。
【００２０】
このような構成によれば、画像のフェードアウトにより視覚的にユーザの興味をひくことができ、また、第１の期間をコマーシャルに関するデータを出力する期間として確保しつつ、フェードアウトの余韻を残しながら当該コマーシャルに関するデータを出力することができる。
【００２１】
本発明の一の形態によれば、前記受信された放送波の制御チャンネルに含まれる前記コマーシャルに関するデータを抽出する抽出手段と、前記抽出されたコマーシャルに関するデータを記憶する記憶手段とを具備することを特徴とする。
【００２２】
これにより、番組データを送信するための放送チャンネルとは無関係にコマーシャルに関するデータを伝送することができる。
【００２３】
本発明の一の形態によれば、前記番組データに付随する前記コマーシャルに関するデータを抽出する抽出手段と、前記抽出されたコマーシャルに関するデータを記憶する記憶手段とを具備することを特徴とする。
【００２４】
これにより、番組データと関連付けてコマーシャルに関するデータを伝送することができる。従って、番組データとコマーシャルに関するデータとを特に関連付けることなく、番組に対応したコマーシャルを提供することが可能となる。
【００２５】
本発明の一の形態によれば、前記コマーシャルに関するデータを予め記憶する記憶手段を具備することを特徴とする。
【００２６】
このような構成によれば、予めコマーシャルに関するデータを記憶させておくことで、例えば放送システムと受信装置との間でコマーシャルに関するデータの受け渡しをすることなく、本発明を実現することが可能である。特に、本発明は、当該受信装置の電源投入時にコマーシャルを提供する場合に有効である。なお、予めコマーシャルに関するデータを記憶するとは、当該受信装置の販売時に予めコマーシャルに関するデータが記憶されている場合ばかりでなく、当該受信装置の電源切断時等にコマーシャルに関するデータを記憶させておく場合等も含まれる。
【００２７】
本発明の一の形態によれば、地球上を周回するＧＰＳ衛星から送信されるＧＰＳ信号を受信し、受信したＧＰＳ信号に基づき当該受信端末の位置を検出する位置検出手段と、前記位置検出手段により検出された位置に応じて、前記出力手段から出力されるコマーシャルに関するデータを選択する選択手段とをさらに具備することを特徴とする。
【００２８】
このような構成によれば、受信装置を使用する位置に応じたコマーシャルに関するデータが選択されて出力されるので、ユーザに効率的にコマーシャルに関するデータを提供することができる。例えば、当該受信装置が東京で使用されている場合と北海道で使用されている場合とで、それぞれその地域に応じたコマーシャルを提供することができる。更に、例えばハンバーガーショップの近くで使用されている場合にはこれに関するコマーシャルを提供することで非常にタイムリーな形でコマーシャルの提供も可能である。
【００２９】
本発明の一の形態によれば、前記出力手段は、前記コマーシャルに関するデータの出力の回数に応じてバージョンの異なる当該データを出力することを特徴とする。
【００３０】
このような構成によれば、異なるバージョンのデータを提供するので、ユーザを飽きさせることもなく、効果的にコマーシャルに関するデータを提供することができる。
【００３１】
本発明の一の形態によれば、前記出力手段は、前記選択手段により前記番組データが出力されているチャンネルから別のチャンネルへの選択の切り替えが行なわれたときに、当該別のチャンネルの番組データを出力するのに先立ち前記切り替え前のチャンネルの番組の中で流されるべきであったコマーシャルに関するデータを出力することを特徴とする。
【００３２】
このような構成によれば、ユーザがコマーシャルを見ずに別のチャンネルに切り替えた場合でも、切り替え前のチャンネルの番組の中で流されるべきであったコマーシャルに関するデータは出力されるので、当該コマーシャルに関するデータについては確実にユーザに提供されることとなる。
【００３３】
本発明の一の形態によれば、前記記憶手段に記憶されるコマーシャルに関するデータには所定の重み付けがされており、前記記憶手段に記憶されたデータが満杯になったとき、前記重み付けに基づく順位に従ったデータを消去する消去手段を更に具備することを特徴とする。
【００３４】
このような構成によれば、例えば、高額の広告料を提供するスポンサーのコマーシャルに関するデータに重みを付けて、長期の滞留期間を確保させることができる。
【００３５】
本発明の一の形態によれば、前記記憶手段に記憶されるコマーシャルに関するデータには消去される日時が指定されており、前記記憶手段に記憶されたデータを前記日時に従って消去する消去手段を更に具備することを特徴とする。
【００３６】
このような構成によれば、記憶手段に記憶されたデータを所定の日時に達すると消去されるので、記憶手段が満杯になるのを避けることができる。また、広告料の多少により、当該日時までの期間を長く設定したり短く設定したりすることもできる。
【００３７】
本発明の一の形態によれば、前記記憶手段に記憶されるコマーシャルに関するデータには出力されるべき回数が指定されており、前記出力手段は、前記消去手段により消去される日時に迫り、かつ、前記指定された回数が少ないデータを優先させて出力することを特徴とする。
【００３８】
このような構成によれば、当該コマーシャルに関するデータについて、予め設定されていた日時までに所定の回数分は確実にユーザに提供することができる。
【００３９】
本発明の別の観点に係る受信装置は、放送波を受信する受信手段と、前記受信した放送波の番組データを出力する番組データ出力手段と、前記番組データ出力手段から番組データが出力されなくなったとき、コマーシャルに関するデータを出力するコマーシャルデータ出力手段とを具備することを特徴とする。
【００４０】
本発明の別の観点に係るコマーシャルの提供方法は、放送波を送信する際にコマーシャルに関するデータを含めて送信し、又は前記放送波を視聴する受信装置にコマーシャルに関するデータを予め記憶させておき、前記受信装置により番組データを出力できないとき、コマーシャルに関するデータを出力することを特徴とする。
【００４１】
データ出力手段から番組データが出力されなくなったときとは、例えば、当該受信装置の電源を切断した場合や放送波が停波した場合、又はディジタル放送の場合だとチャンネルの切り替え等によりブラックアウトする場合等があるが、本発明によれば、このような機会を利用して、コマーシャルデータ出力手段からコマーシャルに関するデータを出力することができる。
【００４２】
本発明の一の形態によれば、前記コマーシャルデータ出力手段は、当該装置の電源切断の入力がされたときに、前記番組データ出力手段からの番組データの出力停止後に、電源の切断に先立ちコマーシャルに関するデータを出力することを特徴とする。
【００４３】
このような構成によれば、例えばユーザが当該装置の電源切断の入力をしてから装置全体がシャットダウンするまでの期間を利用することで、コマーシャルに関するデータを出力することができる。
【００４４】
本発明の一の形態によれば、前記コマーシャルデータ出力手段は、前記放送波が停波されたことで前記番組データ出力手段から番組データが出力されなくなったとき、コマーシャルに関するデータを出力することを特徴とする。
【００４５】
例えばディジタル放送において放送波が停波されると、当該受信装置は再び放送波を受信し、出力しなおさなければならず、受信から出力まで、一定の処理時間を要することとなるが、本発明では、当該処理時間を利用してコマーシャルに関するデータの出力がされるので、ユーザに確実にコマーシャルデータを提供することができる。
【発明の効果】
【００４６】
従って、本発明によれば、ユーザに確実にコマーシャルに関するデータを提供できる。
【発明を実施するための最良の形態】
【００４７】
以下、本発明の実施の形態を図面に基づき説明する。  
図１は本発明の一実施形態に係る衛星放送システムの構成を概略的に示した図である。
【００４８】
図１に示すように、衛星放送システム１は、放送局２と、放送局２からのアップリンクを介して番組データ等を受信し、ディジタル衛星放送波を介して番組データ等を地球上に向けて送信する放送衛星３とを備える。
【００４９】
地上のユーザは受信端末４によって放送衛星３から送信されたディジタル衛星放送波を受信し、映像及び音声を視聴する。
【００５０】
当該ディジタル放送波では、複数のチャンネル、例えば最大で６３のチャンネルを介して複数の番組データが同時の送信されるようになっており、ユーザは受信端末４で所望のチャンネルを選択することで所望の番組を視聴することができる。例えば、この放送システムでは、２．６ＧＨｚのマイクロ波（Ｓバンド）が使用されている。また、衛星放送システム４における通信方式には、マルチパス環境においても良好な受信が可能なＣＤＭ（Ｃｏｄｅ  Ｄｉｖｉｓｉｏｎ  Ｍｕｌｔｉｐｌｅｘｉｎｇ；符号分割多重）方式を用いることが好ましい態様であるが、他の方式であっても勿論構わない。
【００５１】
図２は放送局２の構成を概略的に示した図である。  
図２に示すように、放送局２は、放送する番組の画像データ及び制御データを含む番組データを格納し、格納した番組データを送出する番組データ送出器５、放送するＣＭの画像データ及び制御データを含むＣＭデータを格納するＣＭデータメモリ６、ＣＭデータを送出するタイミング等を制御するＣＭデータ送出制御部７、番組データやＣＭデータ等をＭＰＥＧ４等の形式に変換して圧縮するエンコーダ８、番組データやＣＭデータを変調する変調器９及びこれらのデータを放送衛星３に向けて送信する送信機１０を有する。番組データ送出器５は、例えばテレビカメラ等で撮影された番組データが格納され、ＣＭデータメモリ６には、同様に撮影等されたＣＭデータが格納される。
【００５２】
図３は受信端末４の構成を概略的に示した図である。  
図３を示すように、受信端末４は、ダイバーシティーによる受信を行うための一対の内蔵アンテナ１１と、受信された放送波をチューニングするチューナ１２と、フロントエンド部１３と、バックエンド部１４と、電源部１５と、チャンネルを選択するためのチャンネル選択部１６と、出力部１７とからその主要部が構成されている。
【００５３】
フロントエンド部１３は、内蔵アンテナ１１から受信され、チューナ１２によりチューニングされて入力されたＲＦ信号をダウンコンバートし、復調部に渡すためのＲＦダウンコンバート部１８と、そのＲＦ信号を復調する復調部１９と、条件付きアクセスまたは限定受信にされている有料放送において受信契約の有無に応じてＲＦ信号の解読を実行するか否かを規制するコンディショナル・アクセス部２０と、フロントエンド部１３全体を制御するフロントエンド制御部２１とを有する。
【００５４】
バックエンド部１４は、フロントエンド部１３により復調された信号を復号するデコーダ２２と、復号化されたディジタル信号をアナログの音声信号に変換するディジタル・アナログ・コンバータ（以下、「ＤＡＣ」という。）２３と、復号化されたディジタル信号を例えばＮＴＳＣ画像信号に変換するグラフィック・ディスプレイ・コントローラ（以下、「ＧＤＣ」という。）２４と、外部からコントロール信号を入力し、また外部にコントロール信号を出力するためのディジタル信号入力・出力部２５と、装置全体を包括的に制御するための主制御部２６と、その他ＲＡＭ２７やＲＯＭ２８を備え、また、デコーダにより復号化されたＣＭデータを記憶するＣＭデータメモリ３１及び受信端末４の設定等に関する情報を記憶する設定情報記憶部３２を備える。設定情報記憶部３２は、受信端末４の電源がオフの状態でも記憶を保持することができるようになっている。
【００５５】
電源部１５は、各部に電力を供給するためのバッテリ２９と、受信端末４の電源のオン・オフを切り替える電源スイッチ３０とを備える。電源スイッチ３０は、例えばボタン等により形成され、ユーザがこのボタンを押下等することで、オン・オフを切り替えることができるようになっている。
【００５６】
チャンネル選択部１６は、例えばボタン等により形成され、ユーザがこのボタンを押下等してチャンネルを切り替えることで、チャンネルが選択できるようになっている。選択されているチャンネルについての情報は、設定情報記憶部３２に記憶されるようになっている。
【００５７】
出力部１７は、ＤＡＣ２３により変換された音声信号を出力する音声信号出力部３３及び３４と、ＧＤＣ２４により変換された画像信号を出力する画像信号出力部３５と、ディジタル信号入力・出力部２５からのコントロール信号を出力するコントロール信号出力部３６と、タッチパネル式のディスプレイ３７とを有する。音声信号、画像信号及びコントロール信号は、これら各出力部を介して、例えばカーナビゲーションシステムのディスプレイ等に出力されるようになっている。
【００５８】
次に、このように構成された衛星放送システムの動作について説明する。  
まず、放送局２において、作成された番組データが番組データ送出器５に、また、作成されたＣＭデータがＣＭデータメモリ６に格納される。この番組データ及びＣＭデータは、エンコーダ８において例えばＭＰＥＧ４の形式に変換されて圧縮され、さらに、変調器９において変調されてから、送信機１０により放送衛星３に向けて送信される。放送衛星３は、複数のチャンネルで送信されたデータを受信し、ディジタル衛星放送波として地球に向けて送信する。このデータには、例えば番組データやＣＭデータが含まれている。
【００５９】
次に、受信端末４の動作を図４に基づき説明する。
【００６０】
まず、主制御部２６は、電源がオンにされたかどうか判断する（ステップ４０１）。例えば、電源スイッチ３０がオフになっているときには、電源部１５から主制御部２６に、電源スイッチ３０がオフである旨の信号が伝達される。この状態では、主制御部２６は、受信端末４の電源がオンにされていないと判断し、ステップ４０１の判断を繰り返す。ここで、例えばユーザが電源スイッチ３０を押下すると、電源部から主制御部２６には、電源スイッチ３０がオンである旨の信号が伝達される。主制御部２６は、この電源スイッチ３０がオンである旨の信号を受信したときに、受信端末４の電源がオンにされたと判断し、次のステップに移る。なお、電源のオン／オフを一括してスイッチで行っても勿論構わない。
【００６１】
次に、主制御部２６は、受信端末４のイニシャライズ（初期化）が行われるように制御する（ステップ４０２）。  
初期化の制御については、まず、主制御部２６が、設定情報記憶部３２にアクセスし、例えば前回電源をオフにしたときに選択されていたチャンネル等の設定情報を読み出したり、チューナ１２にアクセスしチューニングのチャンネル（例えばCDM（Code Divisi on Multiplex：符号分割多重）方式により重畳された複数のチャンネルから選ばれる一のチャンネル）になるよう制御したりする等、記憶された設定状態を再現するようにする。次に、主制御部２６は、チューナ１２、デコーダ２２、ＣＭデータメモリ３１にアクセスし、復号されたＣＭデータをＣＭデータメモリ３１に記憶させる。一方、主制御部２６は、ＤＡＣ２３及びＧＤＣ２４、音声信号出力部３３、３４及び画像信号出力部３５にアクセスし、出力信号に変換された番組データを出力する。このように受信端末４の初期化が行われると、ディスプレイ３７には、例えば図５のような画像が表示される。
【００６２】
次に、この状態から、主制御部２６は、チャンネルが切り替えられているかどうかを判断する（ステップ４０３）。例えばチャンネルが切り替えられた旨の信号を、主制御部２６がチャンネル切替部１６から受信したときにチャンネルが切り替えられたと判断し、次のステップに移る。
【００６３】
次に、主制御部２６は、例えば当該ＣＭデータメモリ３１に記憶された中から例えばランダムに一のＣＭデータを選択し、当該ＣＭデータを出力するよう制御する（ステップ４０４）。この工程により、例えば図６に示すように、ＣＭデータが出力され、ＣＭデータに基づいた画像がディスプレイ３７に表示される。
【００６４】
次に、主制御部２６は、番組データが出力される準備が完了したかどうかの判断をする（ステップ４０５）。主制御部２６は、例えば番組データが画像を表示するための出力信号に変換されたときに準備が完了したと判断する。
【００６５】
次に、主制御部２６は、ＣＭデータをメモリから消去し（ステップ４０６）、番組データを出力するように制御する（ステップ４０７）ようにＤＡＣ２３及びＧＤＣ２４を制御する。この制御により、図７に示すように、ディスプレイ３７上には番組データに基づいた画像が表示される。
【００６６】
次に、ステップ４０３でチャンネルが切り替えられないと判断されるとき、又は、ステップ４０６により番組データが出力されたときは、主制御部２６は、電源がオフにされたかどうかを判断する（ステップ４０８）。
【００６７】
主制御部２６は、電源がオフにされたと判断したときは、各機器の動作を停止させるよう制御する。この制御により、受信端末４の動作が終了する。この際、電源がオフにされたと判断したときに、選択されているチャンネル等の設定情報を設定情報記憶部３２に記憶させるように制御する。電源がオフにさていないと判断したときは、ステップ４０３からの工程を繰り返す。
【００６８】
本実施形態によれば、ユーザがチャンネルを選択してから番組データが出力されるまでの信号処理の時間を利用して、ＣＭデータを出力することができるので、確実にユーザに当該データを提供することができる。
【００６９】
本発明は、以上説明した実施形態には限定されるものではなく、種々の変形が可能である。
【００７０】
例えば、図８のステップ４０１ａに示すように、主制御部２６は、例えば電源スイッチをオンにしてから番組データが出力されるまでにＣＭデータを出力し、これに基づく画像をディスプレイ３７の画面上に表示するように制御することもできる。  
電源スイッチ３０がオンにされたときに、主制御部２６は、初期化の制御を行う一方で、ＣＭデータメモリ３１に予め記憶されているＣＭデータを出力することで実現できる。これにより、例えば受信端末４の電源スイッチ３０がオンにされたときに、初期化のための処理時間を利用してＣＭデータが出力されるので、ユーザに確実にＣＭデータに基づく画像を提供することができる。
【００７１】
また、図９に示すように、受信端末４の電源スイッチがオフされた場合（ステップ４０８）、或いは放送波が停波した場合（ステップ４０８ａ）等に、ＣＭデータを出力するようにしてもよい（ステップ４０８ｂ）。これにより、ユーザに特に不快な思いもさせることなく自然な形で確実にＣＭデータを提供することができる。
【００７２】
また、例えばチャンネル切替等によりＣＭデータが表示される場合、ＣＭデータの出力が完了しないうちに、番組データの出力準備が完了することがあるが、この場合に図１０のステップ４０５ａに示すように、ＣＭデータの出力が完了を待って、つまりＣＭデータが番組データに優先して出力されるようにしてもよい。また、この場合に、図１１のステップ４０５ｂに示すように、ＣＭデータの画像をフェードアウトさせながら消去するように制御してもよい。
【００７３】
次に、本発明において、衛星放送システム１から受信端末４にＣＭに関するデータを伝送する方式を説明する。
【００７４】
ここで、図１２に示すように、ディジタル衛星放送波４０には、例えば１つの制御チャンネル４１と、複数例えば４つの放送チャンネル４２〜４５が含まれている。制御チャンネル４１は、放送チャンネルについての制御情報等が含まれている。放送チャンネル４２〜４５には、番組データやＣＭデータ等が含まれ、また、衛星放送システム１に関するシステム情報等も含まれる。制御チャンネル４１は、図１３に示すように、チャンネルの制御データ等が組み込まれたフレーム４６ａ〜４６ｆが例えば６つ組み合わされたスーパーフレーム４７として形成される。フレーム４６は、データ修復のため一定の間隔で挿入されるパイロットシンボル４８、フレームごとのデータの開始点を示すユニークワード４９、フレームを識別するためのフレームカウンタ５０、制御データ５１を有する。このようなデータにおいて、例えばユニークワード４９とフレームカウンタ５０との間等に空き領域があれば、当該空き領域にＣＭデータ５７を組み込むことが可能である。
【００７５】
また、図１４に示すように、放送チャンネルを４分割し、衛星放送システム１に関するシステム情報等が放送チャンネル４２及び４３に含まれるようにし、番組やＣＭに関するデータが残りの放送チャンネル４４及び４５に含まれるようにしてもよい。この放送チャンネル４２、４３には、ＰＡＴ（Program Association Table）、ＣＡＴ（Conditional Access table）、ＮＩＴ（Network Information Table）、ＥＭＭ−Ｓ（Entitlement Control Message for S-band）、ＥＣＭ−Ｓ（Entitlement Management Message for S-band）等、主にシステムに関する情報が含まれており、放送チャンネル４４、４５には、ＰＭＴ（Program map Table）、音声情報（Audio）、画像情報（Video）等、主に放送に関する情報が含まれている。このうち、例えば放送チャンネル４４の画像情報の領域が空き領域となっていれば、当該空き領域にＣＭデータを挿入することができる。
【００７６】
以上の実施形態のおいて、ＣＭデータを組み込むとき、ユーザの嗜好、視聴する時間帯、家族構成等の属性情報を併せて組み込むようにしてもよい。例えば、ユーザが自動車に興味を示す場合について説明する。ユーザが自動車に興味を示すという属性情報は、システム側の端末のユーザインタフェース或いはインターネット等を介してユーザ側の端末のユーザインタフェースを用いて設定する。属性情報は、例えばディジタル放送波を受信したときに設定情報記憶部３２等に記憶されるようにする。チャンネル切替等によりＣＭデータが表示されるとき、主制御部２６は、設定情報記憶部３２に記憶された属性情報をもとに、ＣＭデータメモリ３１から当該属性情報に近いＣＭデータ、例えば自動車に関するＣＭデータを選択して読み出し、このＣＭデータが出力されるように制御する。このようにすればユーザの嗜好に合ったＣＭデータが出力され、例えばディスプレイ３７の画面上に表示されることとなるので、よりユーザの注意を向けることができる。
【００７７】
また、図１５に示すように、受信端末４にＧＰＳ受信機６０を取り付けて、受信端末４の位置を計測可能とし、受信端末４の位置に応じて特定のＣＭを提供するようにしてもよい。
【００７８】
ここで、ＧＰＳ受信機６０は、ＧＰＳ受信アンテナ６１を介して受信した電波信号（ＧＰＳ信号）をＲＦ信号に変換するＲＦダウンコンバータ６２と、変換されたＲＦ信号からＧＰＳ信号を捕捉すると共に、ＰＮコードを使って復調する復調部６３と、復調されたＧＰＳ信号に基づき測位を行う測位部６４とを備える。制御部６５は、ＧＰＳ信号を捕捉するためのタイミング信号を復調部６３に対して与える。出力端子６７からは測位結果が出力される。測位結果は、ディジタル信号入力・出力部２５を介して主制御部２６に送信されるようになっている。従って、ディジタル信号入力・出力部２５とＧＰＳ受信機６０の入力端子６６とをケーブル６８を介して接続することで、ＧＰＳ受信機６０により測位された位置の情報が受信端末４に提供されるようになっている。なお、位置に対応するＣＭデータの種類や性質の情報を、例えば設定情報記憶部３２等に予め記憶させておく。
【００７９】
そして、図１６に示すように、例えば、チャンネルが切替え時にＣＭデータを表示する場合、主制御部２６は、まずＧＰＳ受信機６０の測位結果を解析して当該受信端末４の位置を把握する（ステップ１３０１）。次に、設定情報記憶部３２にアクセスして、把握した位置に対応するＣＭデータの種類・性質の情報を読み出し（ステップ１３０２）、当該情報に応じたＣＭデータをＣＭデータメモリ３１から選択し（ステップ１３０３）、選択したＣＭデータを出力するよう制御する（ステップ１３０４）。
【００８０】
例えば、食事時にレストランの近くにいるとき、当該レストランのＣＭデータを表示させるようにすることができる。このようにすれば、受信端末４を使用するユーザの嗜好あるいは受信端末４を使用する位置等の属性に応じたコマーシャルに関するデータを選択して出力することができる。
【００８１】
また、ＣＭのバージョンを順次上げながらＣＭデータを提供するようにしても構わない。
【００８２】
このＣＭデータの例えば出力回数が一定値以内であるときには、最初のバージョンとして、図１７に示すように、例えばノートパソコンが閉じた状態のＣＭデータがディスプレイ３７に表示されるようにし、一定回数を超えて出力されると、図１８に示すように、ノートパソコンが開いた状態のＣＭデータがディスプレイ３７に表示されるようにする。さらに一定回数を超えて表示されると、図１９に示すように、ノートパソコンの画像及びキーボードが手前に向いている状態のＣＭデータがディスプレイ３７に表示されるようにしてもよい。このように、例えば出力回数に応じてＣＭデータのバージョンを変化させてＣＭデータを提供することができる。この場合、例えば本実施形態に示すように、バージョンアップごとに、対象製品の全容が明らかになるようにＣＭデータを構成するなど、ひとつのストーリーを演出するように構成することが可能である。
【００８３】
本実施形態のように出力回数に応じてＣＭデータのバージョンを変化させる場合、例えばＣＭデータごとに出力回数をカウントするカウンタを設けるようにすればよい。
【００８４】
また、ＣＭデータの中には、例えば他のＣＭデータに優先して提供されるべき重要なＣＭデータ（以下、「重要ＣＭデータ」という。）もあるが、このような重要ＣＭデータについて、例えばユーザがコマーシャルを見ずに別のチャンネルに切り替えた場合でも、当該重要ＣＭデータについて出力されるようにしてもよい。
【００８５】
更に、本発明に係る受信端末４では、ＣＭデータメモリ３１の記憶容量が満杯になると、それ以上ＣＭデータを記憶することができない。従って、容量が一定以上になるか、又は満杯になったときに、ＣＭデータメモリ３１の記憶を消去する必要がある。
【００８６】
その場合に、図２０に示すように、例えば広告料を多く払ったスポンサーのＣＭデータについて、消去の確率に重みをつけることで、例えば当該スポンサーのＣＭデータについては高確率でＣＭデータメモリ３１に残留させるという措置が可能である（ステップ２００１、２００２）。更には、ＣＭデータメモリ３１の記憶容量に関わらず、ＣＭデータごとに一定の期間を設定し、当該一定期間を経過したときに、ＣＭデータメモリ３１から消去されるようにすることができる（ステップ２００３、２００８）。これにより、ＣＭデータメモリ３１の記憶容量が満杯になるのを防ぐことができ、また、広告料の多少により、当該期間の長短を設定することも可能になる。このように一定期間を設定した場合、当該期間の設定と併せて、提供回数の設定を行うことが可能である（ステップ２００５）。これにより、期間が迫ったＣＭデータについては回数を多く出力するという措置が可能である（ステップ２００６、２００７）。
【図面の簡単な説明】
【００８７】
【図１】本発明の一実施形態に係る衛星放送システムの構成を示す概略図である。
【図２】図１に示した放送局の構成を示すブロック図である。
【図３】図２に示した受信端末の構成を示すブロック図である。
【図４】図３に示した受信端末の動作を示すフローチャートである。
【図５】図３に示した受信端末の外観（ディスプレイ）を示す図（その１）である。
【図６】図３に示した受信端末の外観（ディスプレイ）を示す図（その２）である。
【図７】図３に示した受信端末の外観（ディスプレイ）を示す図（その３）である。
【図８】他の実施形態に係る受信端末の動作を示すフローチャートである。
【図９】他の実施形態に係る受信端末の動作を示すフローチャートである。
【図１０】他の実施形態に係る受信端末の動作を示すフローチャートである。
【図１１】他の実施形態に係る受信端末の動作を示すフローチャートである。
【図１２】本発明の一実施形態に係るディジタル放送波のチャンネル構成を示す図である。
【図１３】本発明の一実施形態に係る制御チャンネルの構成を示す図である。
【図１４】本発明の一実施形態に係る放送チャンネルの構成を示す図である。
【図１５】他の実施形態に係る受信端末の構成を示すブロック図である。
【図１６】他の実施形態に係る受信端末の動作を示すフローチャートである。
【図１７】他の実施形態に係る受信端末の外観（ディスプレイ）を示す図（その１）である。
【図１８】他の実施形態に係る受信端末の外観（ディスプレイ）を示す図（その２）である。
【図１９】他の実施形態に係る受信端末の外観（ディスプレイ）を示す図（その３）である。
【図２０】他の実施形態に係る受信端末の動作を示すフローチャートである。
【符号の説明】
【００８８】
１…衛星放送システム
２…放送局
３…衛星
４…受信端末
１１…内蔵アンテナ
１２…チューナ
１５…電源部
１６…チャンネル選択部
１７…出力部
２２…デコーダ
２３…ＤＡＣ
２４…ＧＤＣ
２６…主制御部
３０…電源スイッチ
３１…ＣＭデータメモリ
３２…設定情報記憶部
３３、３４…音声信号出力部
３５…画像信号出力部
３６…コントロール信号出力部
３７…ディスプレイ
４０…ディジタル衛星放送波
４１…制御チャンネル
６０…ＧＰＳ受信機
【図１】
2005080102.tif 000003
【図２】
2005080102.tif 000004
【図３】
2005080102.tif 000005
【図４】
2005080102.tif 000006
【図５】
2005080102.tif 000007
【図６】
2005080102.tif 000008
【図７】
2005080102.tif 000009
【図８】
2005080102.tif 000010
【図９】
2005080102.tif 000011
【図１０】
2005080102.tif 000012
【図１１】
2005080102.tif 000013
【図１２】
2005080102.tif 000014
【図１３】
2005080102.tif 000015
【図１４】
2005080102.tif 000016
【図１５】
2005080102.tif 000017
【図１６】
2005080102.tif 000018
【図１７】
2005080102.tif 000019
【図１８】
2005080102.tif 000020
【図１９】
2005080102.tif 000021
【図２０】
2005080102.tif 000022